(57)【要約】【課題】光ピックアップ装置又はそれを構成する素子の一部を搭載するキャリッジと、キャリッジに設けられた軸受け部を貫通してキャリッジを摺動可能に支持するガイド軸を備える光ディスク装置において、キャリッジと軸受け部との間で発生する摩擦力を低減し、キャリッジを高速かつ円滑に移動できる光ディスク装置を提供する。【解決手段】光ピックアップ装置を搭載するキャリッジ４は、キャリッジ４の対向する２つの側面に設けられる軸受け部５ａ、５ｂを貫通するガイドシャフト６ａ、６ｂに、摺動可能に支持されている。ガイドシャフト６ａ、６ｂは、その両端部をベース部材３に固設される固定部材１１ａ〜１１ｄに固定されて支持されている。固定部材１１ａ〜１１ｄのうち、固定部材１１ａは、上下方向に振動する超音波振動子で形成されている。【選択図】図１
2007134017.tif 000002
【特許請求の範囲】
【請求項１】
光記録媒体に光ビームを射出して情報の読み取り、及び／又は情報の記録を行う光ピックアップを構成する素子のうち少なくとも対物レンズを搭載したキャリッジと、該キャリッジに設けられる軸受け部を貫通して前記キャリッジを前記光記録媒体の半径方向に摺動可能とするガイド軸と、該ガイド軸が固定されるベース部材と、前記キャリッジを前記半径方向に移動するためのキャリッジ駆動手段と、該キャリッジ駆動手段を制御する制御部と、を備える光ディスク装置において、
前記ガイド軸の端部は前記ベース部材上に固設される固定部材を介して固定されており、前記固定部材のうちの少なくとも１つは、前記半径方向と直交する方向に振動する超音波振動子で形成され、
前記制御部は、前記キャリッジ駆動手段によって前記キャリッジが移動する時にのみ前記超音波振動子を振動させ、且つ前記キャリッジ駆動手段を用いた前記キャリッジの移動を停止する直前に前記超音波振動子の振動を停止することを特徴とする光ディスク装置。
【請求項２】
光記録媒体に光ビームを射出して情報の読み取り、及び／又は情報の記録を行う光ピックアップを構成する素子のうち少なくとも対物レンズを搭載するキャリッジと、該キャリッジに設けられる軸受け部を貫通して前記キャリッジを前記光記録媒体の半径方向に摺動可能とするガイド軸と、該ガイド軸が固定されるベース部材と、前記キャリッジを前記半径方向に移動するためのキャリッジ駆動手段と、該キャリッジ駆動手段を制御する制御部と、を備える光ディスク装置において、
前記ガイド軸の端部側に、前記半径方向と直交する方向に振動する超音波振動子を取り付けたことを特徴とする光ディスク装置。
【請求項３】
前記ガイド軸の端部は前記ベース部材上に固設される固定部材を介して固定されており、前記固定部材のうちの少なくとも１つは前記超音波振動子で形成されることを特徴とする請求項２に記載の光ディスク装置。
【請求項４】
前記制御部は、前記キャリッジ駆動手段によって前記キャリッジが移動される時にのみ、前記超音波振動子を振動させることを特徴とする請求項２又は請求項３に記載の光ディスク装置。
【請求項５】
前記制御部は、前記キャリッジ駆動手段を用いた前記キャリッジの移動を停止する直前に、前記超音波振動子の振動を停止することを特徴とする請求項２から請求項４のうちのいずれか１項に記載の光ディスク装置。
【発明の詳細な説明】
【技術分野】
【０００１】
本発明は、ＣＤやＤＶＤ等の光記録媒体の再生又は記録再生を行う光ディスク装置に関し、特に、光ディスク装置に内蔵される光ピックアップを構成する素子を搭載するキャッリッジを移動する駆動装置の構成に関する。
【背景技術】
【０００２】
光ディスク装置は、コンパクトディスク（ＣＤ）やデジタル多用途ディスク（ＤＶＤ）、その他最近では大容量の高品位ＤＶＤとしての青色ＤＶＤ等の光ディスク媒体を回転させながら、光ディスク媒体の微小領域に光ビームをスポット照射し、光ディスク媒体に情報を記録したり、光ディスク媒体に記録された情報を再生したりする装置である。
【０００３】
そして、この光ディスク装置には、光ディスク媒体上に安定して情報の記録ができ、また、光ディスク媒体上に記録された情報を正確に再生できるように、光ピックアップ装置が備えられる。光ピックアップ装置は、光源であるレーザダイオードから出射される光ビームを光ディスク媒体上の目標位置に対物レンズを用いて集光し、光ディスク媒体上に光信号による情報を記録したり、あるいは、レーザダイオードから出射されて光ディスク媒体で反射された反射光をフォトダイオードに取り込んで、光ディスク媒体に記録されている情報を再生信号に変換したりする。
【０００４】
光ディスク媒体は、同心円状又は螺旋状のトラック上に情報が記録される構造を有しているために、光ピックアップ装置を用いて光ディスク媒体の情報の記録再生を行うにあたっては、光ピックアップ装置の全体又はそれを構成する素子の一部を光ディスク媒体の半径方向に移動可能とする必要がある。このため、従来、光ピックアップ装置は光ディスク媒体の半径方向に移動可能なキャリッジに搭載される構成が一般的である。そして、キャリッジの移動は、キャリッジに設けられる軸受け部にガイドシャフトを貫通させ、半径方向に配置されるガイドシャフトに沿って、モータ等の駆動手段を用いて行うのが一般的である。
【０００５】
ところで、光ピックアップ装置等が搭載されるキャリッジを上述のようにガイドシャフトに沿って摺動可能に構成した場合、キャリッジの軸受け部とガイドシャフトとの間の摩擦係数が大きいと、キャリッジの移動時に大きな駆動力が必要となり、キャリッジを円滑かつ高速に移動する際に問題を生じていた。このために、光ピックアップ装置の重量を減らしてキャリッジ全体の重量を軽くしたり、キャリッジの軸受け部とガイドシャフトとの間にグリスを塗布して両者の間で発生する摩擦力を低減したりすることが行われていた。
【０００６】
しかし、光ピックアップ装置の重量を減らす方法には限界があり、グリスを塗布する方法はメンテナンス等の面で負担が多く、必ずしも有効な方法ではなかった。この点、特許文献１においては、光ヘッドの支持構造として、アクチュエータと光学ブロックが搭載されたキャリッジと、キャリッジに設けられる軸受け部を貫通してキャリッジが記録媒体の半径方向に移動可能なように支持するガイドシャフトと、このキャリッジを半径方向に駆動するリニアモータと、ガイドシャフトの端部にガイドシャフトを長手方向に微小振動させる圧電素子と、を有する構造が提案されており、これによれば、圧電素子による振動によって、ガイドシャフトと軸受け部の摩擦係数が小さくなるとされている。
【０００７】
また、特許文献２においても、特許文献１と同様に、光ディスクドライブのアクチュエータにおいて、ガイドシャフトにガイドシャフトの軸方向の微小振動を与える圧電素子を設け、ガイドシャフトが挿通される通孔とガイドシャフトとの摺動性が高まることが紹介されている。
【０００８】
しかしながら、特許文献１や特許文献２に紹介される構成の場合、圧電素子によってガイドシャフトが振動される方向がガイドシャフトの軸方向であるために、ガイドシャフトと軸受け部（通孔）との間の接触面積は振動の有無でほとんど変化がなく、光ピックアップ装置等を搭載するキャリッジの軸受け部とガイドシャフトとの間の摩擦力を減少させる効果としては必ずしも十分でなかった。
【特許文献１】特開平５−１５１５８０号公報
【特許文献２】特開平５−３１４４９９号公報
【発明の開示】
【発明が解決しようとする課題】
【０００９】
以上の問題点に鑑み、本発明の目的は、光ピックアップ装置又はそれを構成する素子の一部を搭載するキャリッジと、キャリッジに設けられた軸受け部を貫通してキャリッジを摺動可能に支持するガイド軸を備える光ディスク装置において、キャリッジと軸受け部との間で発生する摩擦力を低減し、キャリッジを高速かつ円滑に移動できる光ディスク装置を提供することである。
【課題を解決するための手段】
【００１０】
上記目的を達成するために本発明は、光記録媒体に光ビームを射出して情報の読み取り、及び／又は情報の記録を行う光ピックアップを構成する素子のうち少なくとも対物レンズを搭載したキャリッジと、該キャリッジに設けられる軸受け部を貫通して前記キャリッジを前記光記録媒体の半径方向に摺動可能とするガイド軸と、該ガイド軸が固定されるベース部材と、前記キャリッジを前記半径方向に移動するためのキャリッジ駆動手段と、該キャリッジ駆動手段を制御する制御部と、を備える光ディスク装置において、前記ガイド軸の端部は前記ベース部材上に固設される固定部材を介して固定されており、前記固定部材のうちの少なくとも１つは、前記半径方向と直交する方向に振動する超音波振動子で形成され、前記制御部は、前記キャリッジ駆動手段によって前記キャリッジが移動する時にのみ前記超音波振動子を振動させ、且つ前記キャリッジ駆動手段を用いた前記キャリッジの移動を停止する直前に前記超音波振動子の振動を停止することを特徴としている。
【００１１】
また、上記目的を達成するために本発明は、光記録媒体に光ビームを射出して情報の読み取り、及び／又は情報の記録を行う光ピックアップを構成する素子のうち少なくとも対物レンズを搭載するキャリッジと、該キャリッジに設けられる軸受け部を貫通して前記キャリッジを前記光記録媒体の半径方向に摺動可能とするガイド軸と、該ガイド軸が固定されるベース部材と、前記キャリッジを前記半径方向に移動するためのキャリッジ駆動手段と、該キャリッジ駆動手段を制御する制御部と、を備える光ディスク装置において、前記ガイド軸の端部側に、前記半径方向と直交する方向に振動する超音波振動子を取り付けたことを特徴としている。
【００１２】
また、本発明は、上記構成の光ディスク装置において、前記ガイド軸の端部は前記ベース部材上に固設される固定部材を介して固定されており、前記固定部材のうちの少なくとも１つは前記超音波振動子で形成されることを特徴としている。
【００１３】
また、本発明は、上記構成の光ディスク装置において、前記制御部は、前記キャリッジ駆動手段によって前記キャリッジが移動される時にのみ、前記超音波振動子を振動させることを特徴としている。
【００１４】
また、本発明は、上記構成の光ディスク装置において、前記制御部は、前記キャリッジ駆動手段を用いた前記キャリッジの移動を停止する直前に、前記超音波振動子の振動を停止することを特徴としている。
【発明の効果】
【００１５】
本発明の第１の構成によれば、超音波振動子の振動によって、ガイド軸を固有振動で振動させることができ、ガイド軸の表面を周期的に微小に変位させることが可能となる。このため、ガイド軸と軸受け部との間の実質的な接触面積が大きく減少し、ガイド軸に沿ってキャリッジを摺動させる時に、ガイド軸と軸受け部材の間で発生する摩擦力が低減する。従って、キャリッジ移動時の移動負荷が少なくなって、キャリッジの移動速度及び移動加速度を高めることができ、光記録媒体への高速アクセスが可能となる。また、ガイド軸を固定する固定部材の一部又は全部を超音波振動子としているために、固定部材と超音波振動子を別々に設ける必要がなくなり、部品点数の面で有利となる。更に、キャリッジの移動を制御するのと同じ制御部によって、超音波振動子の振動を制御する構成としているために、上記の効果を発揮しつつ、省電力効果、及びキャリッジ停止時の停止速度も高めるといった効果を実現可能となる。
【００１６】
また、本発明の第２の構成によれば、超音波振動子の振動によって、ガイド軸を固有振動で振動させることができ、ガイド軸の表面を周期的に微小に変位させることが可能となる。このため、ガイド軸と軸受け部との間の実質的な接触面積が大きく減少し、ガイド軸に沿ってキャリッジを摺動させる時に、ガイド軸と軸受け部材の間で発生する摩擦力が低減する。従って、キャリッジ移動時の移動負荷が少なくなって、キャリッジの移動速度及び移動加速度を高めることができ、光記録媒体への高速アクセスが可能となる。
【００１７】
また、本発明の第３の構成によれば、上記第２の構成の光ディスク装置において、ガイド軸を固定する固定部材の一部又は全部を超音波振動子としているために、固定部材と超音波振動子を別々に設ける必要がなくなり、部品点数の面で有利となる。
【００１８】
また、本発明の第４の構成によれば、上記第２又は第３の構成の光ディスク装置において、キャリッジが移動しない場合には、超音波振動子の振動を停止する構成であるために、超音波振動子を必要な時にのみ振動させることとなり、省電力効果を得ることが可能となる。
【００１９】
また、本発明の第５の構成によれば、上記第２から第４のいずれかの構成の光ディスク装置において、超音波振動子の振動をキャリッジの移動が停止される直前で停止するように制御するために、キャリッジの移動が停止される直前のキャリッジと軸受け部の摩擦力は増大し、キャリッジの停止速度を速くできる。
【発明を実施するための最良の形態】
【００２０】
以下に本発明の実施形態を、図面を参照しながら説明する。なお、ここで示す実施形態は一例であり、本発明はここに示す実施形態に限定されるものではない。図１は、本実施形態の光ディスク装置の構成を示す概略斜視図である。
【００２１】
図１において、１は光ディスク装置を示しており、ＣＤ、ＤＶＤ、青色ＤＶＤ等の光ディスク媒体２の再生又は記録再生を行うことができる。光ディスク装置１は、図１に示すように、ベース部材３上に、光ピックアップ装置が搭載されるキャリッジ４と、キャリッジ４に設けられる軸受け部５ａ、５ｂを貫通してキャリッジ４を光ディスク媒体２の半径方向に摺動可能とするガイドシャフト６ａ、６ｂと、キャリッジ４をガイドシャフト６ａ、６ｂに沿って移動させるキャリッジ駆動手段７と、光ディスク媒体２を連続回転させるためのスピンドルモータ８と、を有している。
【００２２】
キャリッジ４に搭載される光ピックアップ装置は、光源（図示せず）と、光源から出射される光ビームを光ディスク媒体２の記録層に集光する対物レンズ１０と、光ディスク媒体２で反射された戻り光を受光する受光部（図示せず）と、を備えている。そして、光ピックアップ装置は、光源から光ディスク媒体２に光ビームを射出して、その戻り光を受光部で受光することによって光ディスク媒体２に記録された情報を読み取ったり、あるいは光源から光ディスク媒体２に光ビームを照射することにより光ディスク媒体２に情報を記録したりする。
【００２３】
ガイドシャフト６ａ、６ｂは、ベース部材３上に平行となるように配置されており、ガイドシャフト６ａ、６ｂとベース部材３との間には、ガイドシャフト６ａ、６ｂをベース部材３に固定する固定部材１１ａ〜１１ｃが配置されている。固定部材１１ａ〜１１ｄのうち固定部材１１ａのみが、超音波振動子で形成されている。この点については後で詳細に説明する。なお、固定部材１１ｂ〜１１ｄは、例えば鉄等の金属で形成されている。
【００２４】
ガイドシャフト６ａは、キャリッジ４の側面から突出して設けられる２つの軸受け部５ａを貫通し、ガイドシャフト６ｂは、キャリッジ４の軸受け部５ａが設けられる面と対向する面から突出する１つの軸受け部５ｂを貫通している。これにより、キャリッジ４はガイドシャフト６ａ、６ｂに沿って平行移動可能となっている。なお、キャリッジ４をガイドシャフト６ａ、６ｂに沿って平行移動可能とする構成は、本実施形態の構成に限定される趣旨ではなく、例えば、ガイドシャフト６ｂに設けられる軸受け部５ｂが２つ設けられても構わないし、ガイドシャフト１本でキャリッジ４を光ディスク媒体２の半径方向に平行移動可能とする構成等にしても構わない。
【００２５】
キャリッジ駆動手段７は、モータ（図示せず）と、モータの出力軸に貫入される第１のギア７ａと、第１のギア７ａと噛み合う第２のギア７ｂと、第２のギア７ｂと噛み合いキャリッジ４に取り付けられるラック７ｃと、で構成されている。このため、モータが回転すると第１のギア７ａが回転し、第１のギア７ａと連動して第２のギア７ｂが回転し、更に、第２のギア７ｂと連動してラック７ｃが取り付けられるキャリッジ４がガイドシャフト６ａ、６ｂに沿って移動する仕組みとなっている。なお、キャリッジ駆動手段７に用いるモータとしては、例えば駆動パルスにより動作の制御が可能であるステッピングモータが挙げられる。
【００２６】
また、キャリッジ４を移動するキャリッジ駆動手段７は、本実施形態の構成に限らず、本発明の目的を逸脱しない範囲で変更可能である。すなわち、例えば、キャリッジ４の移動をボイスコイル型の電磁モータを用いたリニアモータによって行う構成等としても構わない。
【００２７】
スピンドルモータ８の上部には、保持部９が設けられており、光ディスク媒体２はこの保持部９に対して着脱可能に保持される。保持部９に保持された光ディスク媒体２はスピンドルモータ８の回転とともに連続回転する。
【００２８】
図２は、本実施形態の光ディスク装置１の電気的構成を概略的に示すブロック図である。ＣＰＵ１２は、各部の動作を監視してプログラムの実行を行う役割を果たす。ＣＰＵ１２には、プログラム等の固定データが書き込まれたＲＯＭ１３と、ワークデータなどの可変データを更新自在に保存するＲＡＭ１４が接続されている。また、ＣＰＵ１２は、光ピックアップ装置１６に備えられる受光部（図示せず）からの電気信号を受け取って、再生データであるＲＦ信号やサーボ制御のためのフォーカスエラー信号やトラッキングエラー信号等を生成するＲＦアンプ２０と接続されており、ＣＰＵ１２はＲＦアンプ２０からの情報に基づいて各部の制御を行う。
【００２９】
スピンドルモータ駆動回路１５は、ＣＰＵ１２からの命令に基づいてスピンドルモータ８の回転の制御を行う。キャリッジ駆動手段駆動回路１７は、ＣＰＵ１２からの命令に基づいてキャリッジ駆動手段７の駆動を制御する。アクチュエータ駆動回路１８は、ＣＰＵ１２からの命令に基づいて、光ピックアップ装置１６に備えられる対物レンズ１０（図１参照）の位置を調整する２軸アクチュエータ（図示せず）の制御を行い、フォーカス制御やトラッキング制御を行う。超音波振動子駆動回路１９は、ガイドシャフト６ａをベース部材３に固定する固定部材１１ａとしての役割を兼ねるとともに、ガイドシャフト６ａに取り付けられてガイドシャフト６ａに振動を伝える超音波振動子（以下１１ａとする）の振動を制御する。
【００３０】
次に、ガイドシャフト６ａを固定する固定部材としての役割とガイドシャフト６ａに振動を伝える役割を兼ねる超音波振動子１１ａの構成と作用について説明する。図３は、図１におけるキャリッジ４周辺の構成をキャリッジ駆動手段７側から見た場合の概略平面図である（図３では、キャリッジ駆動手段７は省略されている）。超音波振動子１１ａは、図３に示すようにガイドシャフト６ａの右端部側に取り付けられ、ガイドシャフト６ａのもう一方の端部（左端部）側に設けられる固定部材１１ｂとともに、ガイドシャフト６ａをベース部材３に対して平行とした状態で保持している。なお、超音波振動子１１ａには、電圧を印加できるように図示しない電極と配線が設けられている。
【００３１】
本実施形態における超音波振動子１１ａは、図３に矢印で示すように、上下方向（すなわち、ガイドシャフト６ａと直交する方向）に振動するように設定されている。この場合の超音波振動子１１ａの振動周波数は、例えば数十ｋＨｚのオーダーである。そして、超音波振動子１１ａの振動条件をガイドシャフト６ａの材質、長さ、太さ等で決まるガイドシャフト６ａの固有振動条件となるように選択すると、ガイドシャフト６ａの表面は、図４に示すように、周期的に微小に変位するようになる。なお、図４は、ガイドシャフト６ａの表面の変位を理解しやすいように模式的に描いた模式図であり、実際の振動状態を示すものではない。
【００３２】
このように、超音波振動子１１ａの振動によって、ガイドシャフト６ａの表面が周期的に変位する場合、ガイドシャフト６ａとキャリッジ４に設けられる軸受け部５ａとが接触する面積は、超音波振動子１１ａによってガイドシャフト６ａを加振する前に比べて格段に減少する。このため、キャリッジ４がガイドシャフト６ａに沿って摺動する場合に、ガイドシャフト６ａと軸受け部５ａとの間で発生する摩擦力は低減される。
【００３３】
本実施形態では、超音波振動子１１ａの素材としてチタン酸ジルコン酸鉛（化学式（Ｐｂ（ＺｒxＴｉ1-x）Ｏ3）、以下ＰＺＴという。））を用いている。このため、超音波振動子１１ａに交流電圧を印加することによって、圧電素子であるＰＺＴは伸縮動作、すなわち、振動を行う。本実施形態では、超音波振動子の素材としてＰＺＴを用いたが、これに限定される趣旨ではなく、他の圧電素子でも構わない。また、例えば、磁歪素子やその他の電気・機械エネルギー変換素子を利用しても構わない。
【００３４】
本実施形態の超音波振動子１１ａは常時振動しているのではなく、光ディスク装置１に備えられるＣＰＵ１２（図２参照）によって、その振動の制御が行われている。図５は、ＣＰＵ１２による超音波振動子１１ａの振動状態の制御方法を示すフローチャートである。以下、このフローチャートを用いて超音波振動子１１ａの振動制御について説明する。
【００３５】
ユーザによって光ディスク装置１による光ディスク媒体２の再生又は記録の実行が命令される（ステップＳ１）と、キャリッジ４を移動するためにキャリッジ駆動手段７を駆動するか否かが確認される（ステップＳ２）。キャリッジ駆動手段７を駆動する場合には、キャリッジ駆動手段７の駆動と同時に、超音波振動子１１ａも駆動される（ステップＳ３）。一方、キャリッジ駆動手段７を駆動しない場合には、再度、キャリッジ駆動手段７を駆動するか否かが確認される。
【００３６】
キャリッジ駆動手段７及び超音波振動子１１ａが駆動された後は、キャリッジ駆動手段７の駆動を停止するか否かが確認される（ステップＳ４）。キャリッジ駆動手段７の駆動を停止する場合には、まず、超音波振動子１１ａの駆動が停止され（ステップＳ５）、次いでキャリッジ駆動手段７が停止される（ステップＳ６）。一方、キャリッジ駆動手段７を停止しない場合には、再度、キャリッジ駆動手段７の駆動を停止するか否かが確認される。キャリッジ駆動手段７を停止した後は、更に光ディスク媒体２の再生又は記録を続けるか否かが確認され（ステップＳ７）、光ディスク媒体２の再生等を続けないときには、超音波振動子１１ａの駆動が停止した状態で終了となり、一方、光ディスク媒体２の再生等を続ける場合には、再度、キャリッジ駆動手段７を駆動するか否かが確認され、適宜超音波振動子１１ａが駆動される。
【００３７】
超音波振動子１１ａを振動させる目的は、ガイドシャフト６ａとキャリッジ４に設けられる軸受け部５ａとの間の摩擦を低減して、キャリッジ４を高速、且つ円滑に移動できるようにすることであるため、上記のようにキャリッジ駆動手段７を駆動しない場合には、超音波振動子１１ａの駆動も停止した方が、省電力効果が得られる。また、キャリッジ駆動手段７が停止する前に、超音波振動子１１ａの駆動を停止した方が、キャリッジ駆動手段７を停止してから、キャリッジ４が停止するまでに要する時間を短くできる。
【００３８】
ただし、超音波振動子１１ａの制御方法は、本実施形態の方法に限定される趣旨ではなく、本発明の目的を逸脱しない範囲で種々の変更が可能である。すなわち、例えば、本実施形態では、キャリッジ駆動手段７の駆動と同時に超音波振動子１１ａを駆動することとしている（ステップＳ３）が、この点につき、キャリッジ駆動手段７を駆動する直前に超音波振動子１１ａを駆動し、その後にキャリッジ駆動手段７を駆動する等の構成としても構わない。また、本実施形態では、キャリッジ駆動手段７の駆動と同時に超音波振動子１１ａを駆動することと、キャリッジ駆動手段７の駆動を停止する直前に超音波振動子１１ａの駆動を停止することとの両方を、ＣＰＵ１２が制御する構成としているが、いずれか一方のみを制御する構成としても構わない。
【００３９】
更に、本実施形態では、超音波振動子１１ａをキャリッジ駆動手段７等の制御を行うＣＰＵ１２と同じＣＰＵ１２で制御する構成としているが、超音波振動子１１ａは、別の制御手段で独立して制御する構成等としても構わない。すなわち、例えば、光ディスク装置１の電源がオンされると、電源がオフされるまで超音波振動子１１ａを駆動し続ける構成等としても構わない。
【００４０】
以上に示した実施形態においては、ガイドシャフト６ａ、６ｂを固定する固定部材１１ａ〜１１ｄのうち、固定部材１１ａのみを超音波振動子で形成することとしたが、これに限定されず、例えば、固定部材１１ａと１１ｂを、或いは、固定部材１１ａと１１ｃを、更には全ての固定部材１１ａ〜１１ｄを超音波振動子で形成する構成等としても構わない。また、超音波振動子をガイドシャフト６ａ、６ｂの固定部材１１ａ〜１１ｄとは別に設け、それをガイドシャフト６ａ及び／又は６ｂの端部側に取り付ける構成等としても構わない。更に、本実施形態においては、超音波振動子１１ａをガイドシャフト６ａの下部に取り付け、超音波振動子１１ａが上下方向に振動する構成としているがこれに限定される趣旨ではなく、例えば、超音波振動子１１ａをガイドシャフト６ａの側部に取り付け、超音波振動子１１ａが左右に振動する構成等としても構わない。
【００４１】
その他、本実施形態における光ディスク装置においては、光ピックアップ装置１６を構成する光学素子の全てがキャリッジ４に搭載されているが、これに限定されず、例えば、光ピックアップ装置１６を構成する対物レンズ等の一部の素子だけがキャリッジ４に搭載されており、他の素子は固定配置されているような構成の光ディス装置でも、本発明は適用できるのは言うまでもない。
【産業上の利用可能性】
【００４２】
本発明は、光記録媒体に光ビームを射出して情報の読み取り、及び／又は情報の記録を行う光ピックアップを構成する素子のうち少なくとも対物レンズを搭載するキャリッジと、キャリッジに設けられる軸受け部を貫通してキャリッジを光記録媒体の半径方向に摺動可能とするガイド軸と、ガイド軸を固定するベース部材と、キャリッジを前述の半径方向に移動するためのキャリッジ駆動手段と、キャリッジ駆動手段を制御する制御部と、を備える光ディスク装置において、ガイド軸の端部側に、前述の半径方向と直交する方向に振動する超音波振動子を取り付けることとする。
【００４３】
このため、超音波振動子を振動させてガイド軸を固有振動で振動させることが可能となり、超音波振動子による振動で、ガイド軸の表面を周期的に微小変位させることが可能となる。そして、ガイド軸表面の周期的な微小変位によって、ガイド軸と軸受け部との間の実質的な接触面積が大きく減少し、ガイド軸に沿ってキャリッジを摺動させる時に、ガイド軸と軸受け部材の間で発生する摩擦力が低減する。従って、キャリッジ移動時の移動負荷が少なくなって、キャリッジの移動速度及び移動加速度を高めることができ、光記録媒体への高速アクセスが可能となる。
【００４４】
また、ガイド軸の端部はベース部材上に固設される固定部材を介して固定されているため、固定部材のうちの少なくとも１つを超音波振動子で形成すると、固定部材と超音波振動子を別々に設ける必要がなくなり、部品点数の面で有利となる。
【００４５】
また、キャリッジ駆動手段を制御する制御部により、キャリッジ駆動手段によってキャリッジが移動される時にのみ、超音波振動子が振動するように制御することで、光ディスク装置使用時の省電力化を図ることが可能となる。
【００４６】
また、キャリッジ駆動手段を制御する制御部により、キャリッジ駆動手段によるキャリッジの移動を停止する直前に、超音波振動子の振動が停止するように超音波振動子を制御することで、キャリッジ駆動手段の駆動を停止してから、キャリッジが停止すまでの時間を短縮できる。
【図面の簡単な説明】
【００４７】
【図１】は、本実施形態の光ディスク装置の構成を示す概略斜視図である。
【図２】は、本実施形態の光ディスク装置の電気的構成を概略的に示すブロック図である。
【図３】は、本実施形態の光ディスク装置が備えるキャリッジ周辺の構成をキャリッジ駆動手段側から見た場合の概略平面図である。
【図４】は、本実施形態の光ディスク装置が備えるガイドシャフトの表面の変位を理解しやすいように模式的に描いた模式図である。
【図５】は、本実施形態の光ディスク装置が備えるＣＰＵによる超音波振動子の振動状態の制御方法を示すフローチャートである。
【符号の説明】
【００４８】
１                      光ディスク装置
２                      光ディスク媒体（光記録媒体）
３                      ベース部材
４                      キャリッジ
５ａ、５ｂ              軸受け部
６ａ、６ｂ              ガイドシャフト（ガイド軸）
７                      キャリッジ駆動手段
１０                    対物レンズ
１１ａ                  固定部材、超音波振動子
１１ｂ〜１１ｃ          固定部材
１２                    ＣＰＵ（制御部）
１６                    光ピックアップ装置
【図１】
2007134017.tif 000003
【図２】
2007134017.tif 000004
【図３】
2007134017.tif 000005
【図４】
2007134017.tif 000006
【図５】
2007134017.tif 000007